(57)【要約】【課題】上衣の袖の中やパンツの中に手や脚が通し易い衣服を提供することである。【解決手段】上衣Ａの表地１の内側に網目状の裏地２が取り付けられ、パンツＢの表地３の内側に網目状の裏地４が取り付けられている。上衣Ａの袖１ｄの袖山αの内側の位置の裏地２ｂの内側で、手が触れ易い位置に、手の挿入される方向に向けて帯状の補助部材５が添着されている。パンツＢの左前身頃３ａと右前身頃３ｂの幅の略中央の内側の裏地４ａの内側で、脚が触れ易い位置に、脚の挿入される方向に向けて帯状の補助部材６が添着されている。補助部材５、６はナイロンやポリエステルなどの摩擦係数が低く手や脚に触れても滑り易い合成樹脂繊維の目の詰んだ織物が一番望ましい。【選択図】        図１
2004232110.tif 000002
【特許請求の範囲】
【請求項１】
網目状の裏地を内側に装着した衣服において、前記網目状の裏地の手もしくは脚が挿入される部分に、挿入される方向に向けて前記裏地より摩擦の小さい補助部材を添着したことを特徴とする衣服。
【発明の詳細な説明】
【０００１】
【発明の属する技術分野】
本発明は、網目状の裏地に前記裏地より摩擦の小さい補助部材を添着した衣服の改良に関する。
【０００２】
【従来の技術】
【特許文献１】実公昭５６−９１３０７号公報
【０００３】
従来特に防水素材などの表地をラミネ−ト又はコ−ティングしてある衣服の上衣やパンツは内側がベト付くので裏地は肌触りを考慮して網目状の裏地になっている。
しかし、網目状の裏地は摩擦係数が高く、伸縮性もあることから手を通す袖の中や、脚を通すパンツの中で網目状の裏地に手や脚の先が引っ掛かったりして着用に時間を要する場合がある。
【０００４】
【特許文献１】は、雨衣を所要形状に裁断した合成樹脂皮膜に裏地として同様の形状の合成繊維網地を重ねてこれらを順次融着している。
着用性や網地が表地から突出することには言及されていない。
【０００５】
【発明が解決しようとする課題】
解決しようとする課題は、表地の内側に網目状の裏地が取り付けられていると、手を通す袖の中や、脚を通すパンツの中で裏地に手や脚が引っ掛かり着用性が悪いことである。
【０００６】
本発明の目的は前記欠点に鑑み、上衣の袖の中やパンツの中に手や脚が通し易い衣服を提供することである。
【０００７】
【課題を解決するための手段】
上記課題を解決するために、
請求項１に係わる本発明は、網目状の裏地を内側に装着した衣服において、前記網目状の裏地の手もしくは脚が挿入される部分に、挿入される方向に向けて前記裏地より摩擦の小さい補助部材を添着したことを要旨とするものである。
【０００８】
【発明の実施の形態】
本発明によって、網目状の裏地２ｂ、４ａに手や脚が触れても補助部材５、６、７で引っ掛からず、摩擦が少なく滑り易いので、袖１ｄに手通しや、パンツＢに脚通しがし易くなり、着用性を向上することが出来る。
衣服の上衣ＡやパンツＢの内側に補助部材５、６、７が設けられていると、身体又は、着用している衣服と摩擦を減少することにより、身体の動き易さも向上することが出来る。
【０００９】
【実施例】
以下、図示の実施例によって本発明を説明すると、図１から図５は第１実施例で、図１は衣服の（ａ）上衣と（ｂ）パンツの分解要部断面背面図、図２は上衣の拡大要部断面背面図、図３は上衣の袖の断面側面図、図４はパンツの拡大要部断面背面図、図５はパンツの要部断面平面図である。
【００１０】
衣服は、上衣Ａの表地１の内側に裏地２が取り付けられ、パンツＢの表地３の内側に裏地４が取り付けられている。
表地１、３はナイロン、ポリエチレン等の合成樹脂の繊維から成る布地で形成されている。
裏地２、４はナイロン、ポリエチレン等の合成樹脂材で網目状に形成されている。
裏地２、４の以下に説明する適所には帯状の補助部材５、６が添着されている。
【００１１】
補助部材５、６はナイロンやポリエステルなどの合成樹脂繊維の織布で、網目状に形成された裏地２、４よりも伸縮性が小さい。
また、裏地２、４よりも繊維間の隙間（目）が小さいため摩擦係数が低く手や脚に触れても滑り易く、袖１ｄや脚部３ｅへの手や脚の挿通を補助し、これを容易にする。
したがって、目の詰んだ織物が一番望ましい。
また、裏地２、４より高密度な伸び難い編物でもよい。
更に可撓性のある合成樹脂板や皮革でもよく、表面が滑面のものが好ましい。
【００１２】
上衣Ａは左前身頃１ａと右前身頃１ｂと後身頃１ｃと両袖１ｄ、１ｄと、各身頃の裏地２ａと袖の裏地２ｂとが縫製連結されている。
左右の前身頃１ａ、１ｂの開口部の両端には夫々に係合チャックからなる開閉用止着部１０、１１が設けられている。
身頃の裏地２ａは身頃の上部ａと下部ｂに夫々固定されている。
両袖１ｄ、１ｄと袖の裏地２ｂは夫々筒状に形成されている。
袖１ｄの裏地２ｂは、袖１ｄの身頃への固定部ｃと、袖１ｄのカフス１ｅの固定部ｄに夫々固定されており、全面を固着せずに間隙を有し、それぞれ自由に伸縮できるようになっている。
【００１３】
身頃の肩線に連続する袖１ｄの袖山αの内側の位置の裏地２ｂの内側に、手の挿入される袖１ｄの長手方向に向けて帯状の補助部材５が添着されている。
この位置が着用時に手が触れ易い。
補助部材５は裏地２ｂの内側に縫製で添着してもよいし、袖１ｄの内側に袖１ｄと裏地２ｂと共に重ねて縫製で添着してもよい。
補助部材５は裏地２ｂよりも袖１ｄの内側に突出させて設けて着用時に裏地２ｂよりも手が触れ易くなっている。
【００１４】
パンツＢは、パンツＢの腰部位では、左前身頃３ａと左後身頃３ｃと右後身頃３ｄと右前身頃３ｂがこの順序で一体に連続縫製されている。
パンツＢの脚部３ｅでは、左前身頃３ａと左後身頃３ｃが、右前身頃３ｂと右後身頃３ｄが夫々筒状に連続縫製されている。
各身頃の裏地４ａは各身頃の形状に合わせて一体に縫製連結され、裏地４ａの上端側は各身頃の上部ｅに、裾部側は各身頃の裾部ｆに固定されている。
左前身頃３ａと右前身頃３ｂの幅の略中央の内側の裏地４ａの内側で、脚が触れ易い位置に、脚の挿入される方向に向けて帯状の補助部材６が添着されている。
補助部材６は裏地４ａの内側に縫製で添着してもよいし、左前身頃３ａと右前身頃３ｂの内側に、左前身頃３ａと右前身頃３ｂと裏地４ａと共に重ねて縫製で添着してもよい。
【００１５】
補助部材５、６が裏地２ｂ、４ａの手や脚が触れ易い位置に手や脚が挿入される袖１ｄや脚部３ｅの長手方向に向けて設けられていると、網目状の裏地２ｂ、４ａに手や脚が触れても引っ掛からず、摩擦係数が低く滑り易いので、袖１ｄに手通しや、パンツＢに脚通しがし易くなる。
衣服の上衣ＡやパンツＢの内側に補助部材５、６が設けられていると、身体又は、着用している衣服と摩擦を減少することにより、身体が動き易くなる。
【００１６】
前記のように衣服が構成されると、網目状の裏地２ｂ、４ａに手や脚が触れても補助部材５、６で引っ掛からず、摩擦係数が低く滑り易いので、袖１ｄに手通しや、パンツＢに脚通しがし易くなり、着用性を向上することが出来る。
衣服の上衣ＡやパンツＢの内側に補助部材５、６が設けられていると、身体又は、着用している衣服と摩擦を減少することにより、身体の動き易さも向上することが出来る。
【００１７】
図６、図７は第２実施例で、図６は衣服の袖の断面側面図、図７はパンツの要部断面平面図である。
【００１８】
第２実施例の衣服は、上衣ＡやパンツＢの内側に線状帯の補助部材７、７が設けられている。
補助部材７、７はナイロンやポリエステルなどの摩擦係数が低く手や脚に触れても滑り易い合成樹脂板を幅方向で二つ折りにされて裏地２ｂ、４ａの手や脚が触れ易い位置に手や脚が挿入される方向に向けて設けられている。
他の構成は前記第１実施例と略同一である。
【００１９】
上記線状帯の補助部材７は複数本並行に間隔を隔てて設けてもよい。
上記線状帯の補助部材７と前記第１実施例の帯状の補助部材５、６を併設してもよい。
【００２０】
【発明の効果】
本発明は、以上説明したような形態で実施され、以下に記載されるような効果を奏する。
【００２１】
請求項１により、網目状の裏地に手や脚が触れても補助部材で引っ掛からず、袖に手通しや、パンツに脚通しがし易くなり、着用性を向上することが出来る。
【図面の簡単な説明】
【図１】第１実施例で、衣服の（ａ）上衣と（ｂ）パンツの分解要部断面背面図である。
【図２】同上衣の拡大要部断面背面図である。
【図３】同上衣の袖の断面側面図である。
【図４】同パンツの拡大要部断面背面図である。
【図５】同パンツの要部断面平面図である。
【図６】第２実施例で、衣服の袖の断面側面図である。
【図７】同パンツの要部断面平面図である。
【符号の説明】
Ａ  上衣
Ｂ  パンツ
２、４、２ｂ、４ａ  網目状の裏地
５、６、７  補助部材
【図１】
2004232110.tif 000003
【図２】
2004232110.tif 000004
【図３】
2004232110.tif 000005
【図４】
2004232110.tif 000006
【図５】
2004232110.tif 000007
【図６】
2004232110.tif 000008
【図７】
2004232110.tif 000009